(57)【特許請求の範囲】
【請求項１】
撮影画像の送信手段を備えた複数の撮影装置と、
表示画像の受信手段を備えた前記撮影装置の台数未満の画像表示装置と、
前記撮影装置の撮影画像送信機能の提供及び前記画像表示装置の画像表示機能の提供を管理する管理装置と、
前記撮影装置、前記画像表示装置及び前記管理装置を接続するネットワーク
とからなる撮影・画像表示システムであって、
前記管理装置は画像表示機能を提供可能な前記画像表示装置を記憶し、前記画像表示装置の画像表示機能の提供に応じて、前記撮影画像送信機能を提供可能な撮影装置から前記画像表示機能を提供可能な画像表示装置に前記ネットワークを通じて撮影画像を送信可能とする巡回モジュールを発行し、
前記巡回モジュールの数が、前記画像表示機能を提供可能な画像表示装置と常に同数である
ことを特徴とする撮影・画像表示システム。
【請求項２】
前記巡回モジュールは、前記管理装置で発行された後、前記画像表示機能を提供可能な画像表示装置の使用権を取得した前記撮影装置に移動する事で、前記撮影装置の撮影画像送信機能が開始されることを特徴とする請求項１に記載の撮影・画像表示システム。
【請求項３】
前記巡回モジュールは、移動先の前記撮影装置での撮影画像データの提供が停止すると、前記管理装置で他の撮影装置による前記撮影画像送信機能の提供を検索することを特徴とする請求項１又は２に記載の撮影・画像表示システム。
【請求項４】
撮影画像の送信手段を備えた複数の撮影装置と、
表示画像の受信手段を備えた前記撮影装置の台数未満の画像表示装置と、
前記撮影装置の撮影画像送信機能の提供及び前記画像表示装置の画像表示機能の提供を管理する管理装置と、
前記撮影装置、前記画像表示装置及び前記管理装置を接続するネットワーク
とからなる撮影・画像表示システムにおいて、
前記管理装置が、画像表示機能を提供可能な前記画像表示装置を記憶するステップと、
前記管理装置が、前記画像表示装置の画像表示機能の提供に応じて、前記撮影画像送信機能を提供可能な撮影装置から前記画像表示機能を提供可能な画像表示装置に前記ネットワークを通じて撮影画像を送信可能とする巡回モジュールを発行するステップとを具備し、
前記巡回モジュールの数が、画像表示機能を提供可能な画像表示装置と常に同数であることを特徴とする撮影・画像表示方法。
【請求項５】
前記巡回モジュールは、前記管理装置で発行された後、前記画像表示機能を提供可能な画像表示装置の使用権を取得した前記撮影装置に移動する事で、前記撮影装置の撮影画像送信機能が開始されることを特徴とする請求項４に記載の撮影・画像表示方法。
【請求項６】
前記巡回モジュールは、移動先の前記撮影装置での撮影画像データの提供が停止すると、前記管理装置で他の撮影装置による前記撮影画像送信機能の提供を検索することを特徴とする請求項４又は５に記載の撮影・画像表示方法。
【発明の詳細な説明】
【０００１】
【発明の属する技術分野】
本発明は、撮影・画像表示システム及び方法に関し、典型的には、複数の撮影装置及び複数の画像表示装置を有する撮影・画像表示システム及び方法に関する。
【０００２】
【従来の技術】
従来、例えば結婚披露宴などで、撮影中の画像をリアルタイムにその会場で表示する撮影表示システムとして、複数台の動画・静止画撮影用デジタルビデオカメラに対しカメラと同数の画像表示装置を用意し、カメラと一対一に接続する構成と、複数台の動画・静止画撮影用デジタルビデオカメラに対しカメラ台数より少ない台数の画像表示装置と、全てのカメラの撮影画像を一括して管理し、これらカメラからの画像を任意の画像表示装置に分配するサーバ装置とを用意し、オペレータの操作により、所望のカメラの出力映像を任意の画像表示装置に配信する構成が考えられる。後者の構成では、オペレータによる操作に替えて、プログラム動作により画像の分配を所望の順序で切り換えることも考えられる。
【０００３】
【発明が解決しようとする課題】
カメラ台数より画像表示装置の台数が少ない場合、少なくとも１台のカメラの画像はその場では利用されず、対応する画像表示装置があるカメラの画像のみがその場では利用されることになり、カメラを有効に活用しているとはいえない。
【０００４】
カメラと画像表示装置との間に分配サーバを配置する従来例では、画像の分配を人手に頼る場合、熟練した専任オペレータが必要になり、余分な人手がかかるだけでなく、手軽に利用できない。
【０００５】
プログラム又はスクリプトにより分配を制御する場合、通常、分配が順列的又はランダムに切り換えられるので、効果が画一的になる。その場の状況に応じた柔軟な分配が難しい。撮影者にとっても、不本意な表示画像になってしまうことがある。
【０００６】
本発明は、このような不都合を解消した撮影・画像表示システム及び方法を提示することを目的とする。
【０００７】
【課題を解決するための手段】
本発明に係る撮影・画像表示システムは、撮影画像の送信手段を備えた複数の撮影装置と、表示画像の受信手段を備えた前記撮影装置の台数未満の画像表示装置と、前記撮影装置の撮影画像送信機能の提供及び前記画像表示装置の画像表示機能の提供を管理する管理装置と、前記撮影装置、前記画像表示装置及び前記管理装置を接続するネットワークとからなる撮影・画像表示システムであって、前記管理装置は画像表示機能を提供可能な前記画像表示装置を記憶し、前記画像表示装置の画像表示機能の提供に応じて、前記撮影画像送信機能を提供可能な撮影装置から前記画像表示機能を提供可能な画像表示装置に前記ネットワークを通じて撮影画像を送信可能とする巡回モジュールを発行し、前記巡回モジュールの数が、前記画像表示機能を提供可能な画像表示装置と常に同数であることを特徴とする。
本発明に係る撮影・画像表示方法は、撮影画像の送信手段を備えた複数の撮影装置と、表示画像の受信手段を備えた前記撮影装置の台数未満の画像表示装置と、前記撮影装置の撮影画像送信機能の提供及び前記画像表示装置の画像表示機能の提供を管理する管理装置と、前記撮影装置、前記画像表示装置及び前記管理装置を接続するネットワークとからなる撮影・画像表示システムにおいて、前記管理装置が、画像表示機能を提供可能な前記画像表示装置を記憶するステップと、前記管理装置が、前記画像表示装置の画像表示機能の提供に応じて、前記撮影画像送信機能を提供可能な撮影装置から前記画像表示機能を提供可能な画像表示装置に前記ネットワークを通じて撮影画像を送信可能とする巡回モジュールを発行するステップとを具備し、前記巡回モジュールの数が、画像表示機能を提供可能な画像表示装置と常に同数であることを特徴とする。
【０００８】
【実施例】
以下、図面を参照して、本発明の実施例を詳細に説明する。なお、本明細書で「サービス」とは、他の装置に提供可能な抽象化された手段又は機能を意味する。
【０００９】
図１は、本発明の一実施例の概略構成ブロック図を示す。１０はＥｔｈｅｒｎｅｔ（登録商標）などからなるＬＡＮであり、コンピュータ及びプリンタなどの各種機器・装置が接続する。１２は、無線Ｅｔｈｅｒｎｅｔの規格であるＩＥＥＥ  ８０２．１１等に準拠した無線機器をＬＡＮ１０に接続する無線ハブ（集線装置）である。
【００１０】
１４（１４−１〜１４−ｎ）は、動画又は静止画を撮影するデジタルビデオカメラであり、光学像を電気信号に変換し、所定形式の画像データを出力する。カメラ１４は、無線ハブ１２に無線接続可能な無線インターフェースを具備し、無線ハブ１２を介してＬＡＮ１０に接続し、ＬＡＮ１０に接続するネットワーク機器と交信できる。
【００１１】
１６（１６−１〜１６−ｍ）は、映像ディスプレイ及び映像モニタなどの文字及び画像を表示可能な画像表示装置であり、ＬＡＮ１０に接続する。本実施例では、ｍ台の画像表示装置１６がある。ｍはｎ未満であると仮定する。
【００１２】
１８は、コンピュータなどからなるサービス管理登録装置であり、具体的には、米国Ｓｕｎ  Ｍｉｃｒｏｓｙｓｔｅｍｓ社によって提唱されるＪｉｎｉ（商標）テクノロジにおけるＪｉｎｉ  Ｌｏｏｋｕｐ  Ｓｅｒｖｉｃｅ（ＪＬＵＳ）サーバ、又はＩＥＴＦ（Ｉｎｔｅｒｎｅｔ  Ｅｎｇｉｎｅｅｒｉｎｇ  Ｔａｓｋ  Ｆｏｒｃｅ）発行のＲＦＣ２１６５，２６０８に公開されているインターネットプロトコルＳＬＰ（Ｓｅｒｖｉｃｅｓ  Ｌｏｃａｔｉｏｎ  Ｐｒｏｔｏｃｏｌ）のディレクトリエージェント及びサービスデータベースに該当するものであり、ネットワークに接続されたコンピュータやデバイス等の機器が提供するサービスを管理する。
【００１３】
２０は巡回モジュール発行装置であり、カメラ１４と画像表示装置１６の間に介在し、サービスを仲介するサービス仲介巡回モジュール２２（２２−１〜２２−ｍ）を、画像表示装置１６の台数分（本実施例では、ｍ個）発行する。
【００１４】
カメラ１４、サービス管理登録装置１８、及び巡回モジュール発行装置２０は、任意の組み合わせで同一機器上に実現されてもよい。
【００１５】
図２は、カメラ１４の概略構成ブロック図を示す。３０は全体を制御するＣＰＵ、３２はＣＰＵ３０の主メモリ及びワークエリアとして機能するＲＡＭ、３４はＣＰＵ３０の制御プログラム及びデータを記憶するＲＯＭである。３６は撮影レンズ、３８は撮影レンズ３６の光学像を電気信号に変換する撮像素子、４０は撮像素子３８から出力されるアナログ画像信号をデジタル信号に変換するＡ／Ｄ変換器、４２は画像データに種々の画像処理を施す画像処理回路、４４は、撮影スイッチなどからなる操作装置、４６は、撮像素子３８の出力画像及び操作メニューなどを表示する画像表示装置である。画像表示装置４６は例えば、液晶表示パネルからなる。４８はネットワーク制御回路であり、ＩＥＥＥ  ８０２．１１等の無線ネットワーク規格に準拠する無線ネットワークインターフェース５０を介して無線ハブ１２に接続し、他のネットワーク機器との通信制御処理を実行する。５２はシステムバスである。
【００１６】
図３は、画像表示装置１６の概略構成ブロック図を示す。６０は全体を制御するＣＰＵ、６２はＣＰＵ６０の主メモリ及びワークエリアとして機能するＲＡＭ、６４はＣＰＵ６０の制御プログラム及びデータを記憶するＲＯＭである。６６は、ＣＲＴ６８を制御するＣＲＴ制御回路、７０はスピーカ７２を駆動するスピーカ制御回路、７４はネットワークインターフェース７６を介して外部との通信を制御し、通信するネットワーク制御回路、７８は、ＣＰＵ６０、ＲＡＭ６２、ＲＯＭ６４、ＣＲＴ制御回路６６、スピーカ制御回路７０及びネットワーク制御回路７４が接続するシステムバスである。
【００１７】
図４は、サービス管理登録装置１８の概略構成ブロック図を示す。８０は全体を制御するＣＰＵ、８２はＣＰＵ８０の主メモリ及びワークエリアとして機能するＲＡＭ、８４はＣＰＵ８０の制御プログラム及びデータを記憶するＲＯＭである。８６は、キーボード８８及び図示しないポインティングデバイスからの入力を制御するキーボード制御回路、９０はＣＲＴ９２を制御するＣＲＴ制御回路、９４は、ブートプログラム、種々のアプリケーション、フォントデータ、ユーザファイル及び編集ファイル等を記憶するハードディスク（ＨＤ）９６及びフレキシブルディスク（ＦＤ）９８等のデータ入出力を制御するディスク制御回路である。１００はスピーカ１０２を駆動するスピーカ制御回路、１０４はネットワークインターフェース１０６を介して外部との通信を制御し、通信するネットワーク制御回路である。１０８は、ＣＰＵ８０、ＲＡＭ８２、ＲＯＭ８４、キーボード制御回路８６、ＣＲＴ制御回路９０、ディスク制御回路９４、スピーカ制御回路１００及びネットワーク制御回路１０４が接続するシステムバスである。
【００１８】
図５は、巡回モジュール発行装置２０の概略構成ブロック図を示す。１１０は全体を制御するＣＰＵ、１１２はＣＰＵ１１０の主メモリ及びワークエリアとして機能するＲＡＭ、１１４はＣＰＵ１１０の制御プログラム及びデータを記憶するＲＯＭである。１１６は、キーボード１１８及び図示しないポインティングデバイスからの入力を制御するキーボード制御回路、１２０はＣＲＴ１２２を制御するＣＲＴ制御回路、１２４は、ブートプログラム、種々のアプリケーション、フォントデータ、ユーザファイル及び編集ファイル等を記憶するハードディスク（ＨＤ）１２６及びフレキシブルディスク（ＦＤ）１２８等のデータ入出力を制御するディスク制御回路である。１３０はスピーカ１３２を駆動するスピーカ制御回路、１３４はネットワークインターフェース１３６を介して外部との通信を制御し、通信するネットワーク制御回路である。１３８は、ＣＰＵ１１０、ＲＡＭ１１２、ＲＯＭ１１４、キーボード制御回路１１６、ＣＲＴ制御回路１２０、ディスク制御回路１２４４、スピーカ制御回路１３０及びネットワーク制御回路１３４が接続するシステムバスである。
【００１９】
図６乃至図１１に示すフローチャートを参照して、本実施例の動作を説明する。図６は、カメラ１４の動作フローチャートを示す。図７は、画像表示装置１６の動作フローチャートを示す。図８はサービス管理登録装置１８の動作フローチャートを示す。図９は巡回モジュール発行装置２０の動作フローチャートを示す。図１０はサービス仲介巡回モジュール２２の動作フローチャートを示す。
【００２０】
図６において、カメラ１４の電源がオンになると（Ｓ１）、ＣＰＵ３０は、ネットワーク制御回路４８を起動し、ネットワークインターフェース５０を介してネットワークに接続し、他のネットワーク機器との通信処理を開始する。ネットワークに接続した後、サービス管理登録装置１８に撮影画像提供サービスの開始を通知する（Ｓ２）。
【００２１】
サービス開始通知（Ｓ２）によりサービス管理登録装置１８に登録された撮影画像提供サービスをサービス仲介巡回モジュール２２がステップＳ４５のように取得し、ステップＳ４６に示すようにネットワークを介して本装置に移動してきた場合（Ｓ３）、ＣＰＵ３０は、ネットワークインターフェース５０を介して受信したそのサービス仲介巡回モジュールをＲＡＭ３２にストアし、実行する（Ｓ４）。
【００２２】
サービス開始通知（Ｓ２）乃至巡回モジュール実行（Ｓ４）とは並列に、ユーザは、撮影を開始できる（Ｓ５）。撮影画像は、画像処理回路４２により処理され、ＣＰＵ３０は、処理された画像データをサービス仲介巡回モジュールに渡す（Ｓ６）。ステップＳ６をユーザによる撮影中止まで繰り返す（Ｓ７）。撮影が中止されると、即ち、撮影画像提供サービスが中止されると（Ｓ７）、ＣＰＵ３０は、サービス管理登録装置１８に登録した撮影画像提供サービスを削除するため、サービスの中止をサービス管理登録装置１８に通知し（Ｓ８）、処理を終了する。
【００２３】
ステップＳ８では、撮影画像提供サービスの中止をサービス仲介巡回モジュール２２にも明示的に通知し、仲介巡回モジュール２２の他のカメラ１４への移動を促しても良い。
【００２４】
図７において、画像表示装置１６の電源がオンになると（Ｓ１１）、ＣＰＵ６０は、ネットワーク制御回路７４を起動し、ネットワークインターフェース７６を介してネットワークに接続し、他のネットワーク機器との通信処理を開始する。
【００２５】
ネットワークへ接続した後、ＣＰＵ６０は、サービス管理登録装置１８に受信画像表示サービスの開始を通知する（Ｓ１２）。
【００２６】
サービス開始通知（Ｓ１２）によりサービス管理登録装置１８に登録された受信画像表示サービスを巡回モジュール発行装置２０がステップＳ３４のように取得し、ステップＳ３５に示すようにサービス巡回モジュール２２を発行した場合、発行されたサービス仲介巡回モジュール２２は、ステップ４１に示すように、受信画像表示サービスを自身にバインドし、ステップＳ４８に示すように指定の画像表示装置１６に画像データを送信する。画像表示装置１６は、この画像データをネットワークインターフェース７６を介して受信し（Ｓ１３）、ＣＰＵ６０は、この受信画像をＣＲＴ制御回路６６によりＣＲＴ６８上に表示する（Ｓ１４）。ステップＳ１４での画像表示は、画像データを受信し続ける間、継続される。
【００２７】
図８において、サービス管理登録装置１８は、ＲＡＭ８２及びハードディスク９６を用いて、サービス情報を管理し蓄積するデータベースを稼動している。ＣＰＵ８０は、ネットワークインターフェース１０６を介して他のネットワーク機器からデータベースに関する各種要求及び通知を受け付け、それらをその内容に応じて以下のように処理する。
【００２８】
サービス開始通知（Ｓ２１）に対して、通知されたサービスの情報をデータベースに登録して、次の要求又は通知を待つ（Ｓ２２）。サービス中止通知（Ｓ２３）に対して、通知されたサービスの情報をデータベースから削除し、次の要求又は通知を待つ（Ｓ２４）。サービス検索要求（Ｓ２５）に対して、要求されたサービスをデータベースから検索し、その検索結果を要求元に返信して、次の要求又は通知を待つ（Ｓ２６）。サービス取得要求（Ｓ２７）に対して、要求されたサービスをデータベースから検索し、使用権を付与できる場合には使用権を要求元に返信し、使用権を付与できない場合には、要求元に留保を通知して、次の要求又は通知を待つ（Ｓ２８）。上述の要求及び通知の何れに該当しない要求又は通知の場合、その内容に応じて処理を実行して、次の要求又は通知を待つ（Ｓ２９）。
【００２９】
図９において、巡回モジュール発行装置２０のＣＰＵ１１０は、画像表示装置１６の提供する受信画像表示サービスの検索を、ネットワークインターフェース１３６を介してサービス管理登録装置１８に要求し（Ｓ３１）、そのサービス検索要求の検索結果をサービス管理登録装置１８から受信する（Ｓ３２）。その検索結果から受信画像表示サービスが１つ以上登録されている場合（Ｓ３２）、検索結果に含まれる全受信画像表示サービスの情報の送信をサービス管理登録装置１８に要求し（Ｓ３３）、サービス管理登録装置１８に前記列挙結果にある全ての受信画像表示サービスを取得することを要求する（Ｓ３３）。受信画像表示サービスの使用権をサービス管理登録装置１８から取得すると（Ｓ３４）、取得した受信画像表示サービスの数と同数のサービス仲介巡回モジュール２２を発行し、各サービス仲介巡回モジュール２２に１つの受信画像表示サービスをバインド（関連付け）させる（Ｓ３５）。以後、Ｓ３１以降を繰り返す。
【００３０】
この処理により、ネットワークに接続される利用可能な画像表示装置１６の台数と同数のサービス仲介巡回モジュールを発行出来る。
【００３１】
図１０において、サービス仲介巡回モジュール２２は、巡回モジュール発行装置２０により発行されると、巡回モジュール発行装置２０のＣＰＵ１１０とＲＡＭ１１２を使って自身を実行する。巡回モジュール発行装置２０によって割り当てられた１つの受信画像表示サービスを自身にバインドし（Ｓ４１）、巡回モジュール発行装置２０のネットワークインターフェース１３６を介してサービス管理登録装置１８に、カメラ１４の提供する撮影画像提供サービスの検索を要求する（Ｓ４２）。そのサービス検索要求の結果をサービス管理登録装置１８から受け取る（Ｓ４３）。
【００３２】
検索結果が１つ以上の撮影画像提供サービスを含む場合（Ｓ４３）、そのうちの１つのサービスの取得をサービス管理登録装置１８へ要求し（Ｓ４４）、サービス使用権をサービス管理登録装置１８から取得する（Ｓ４５）。サービス使用権を取得すると（Ｓ４５）、サービス仲介巡回モジュール２２は、使用権を取得したサービスを提供するカメラ１４にネットワークインターフェース１３６を介して移動し（Ｓ４６）、移動先のカメラ１４において、ステップＳ４で説明したように、ＣＰＵ３０及びＲＡＭ３２を使って実行される。
【００３３】
ステップＳ６で説明したように、カメラ１４から撮影画像データを受け取ると（Ｓ４７）、バインドした受信画像表示サービスの提供元の画像表示装置１６へその撮影画像データをネットワークインターフェース５０を介して送信する（Ｓ４８）。カメラ１４が撮影画像提供サービスを中止するまで、撮影画像データの送信処理を繰り返す。画像データの受け取りが中止されると（Ｓ４７）、画像提供サービス検索要求（Ｓ４２）に遷移する。
【００３４】
カメラ１４では、ユーザによる撮影中止（Ｓ７）に代えて又は加えて、操作装置４４の特定の操作スイッチをユーザが押下することにより、撮影中であっても、サービス仲介巡回モジュール２２への画像データの譲渡（Ｓ６）を中止するようにしてもよい。この場合、画像データの譲渡を中止されるサービス仲介巡回モジュール２２は、ステップＳ４７での撮影画像データの受け取りを中止することになるので、画像提供サービス検索要求（Ｓ４２）に遷移する。
【００３５】
図１１は、サービス仲介巡回モジュール２２のタイムアウト動作のフローチャートを示す。
【００３６】
サービス仲介巡回モジュール２２がステップＳ４６でカメラ１４に移動し、そのカメラ１４で動作を開始すると（Ｓ５１）、そのカメラ１４のＣＰＵ３０及びＲＡＭ３２、又はカメラ１４の図示しないタイマを使用して、カメラ１４上での実行時間の計測を開始する（Ｓ５２）。計測時間が予めサービス仲介巡回モジュール２２に設定されているタイムアウト時間を越える数秒前、例えば１０秒前になると（Ｓ５３）、連携する画像表示装置１６への撮影画像データの送信が打ち切られる旨のメッセージを、カメラ１４のユーザに対し表示装置４６の液晶モニタ上に表示する（Ｓ５４）。メッセージ表示後、ユーザが操作装置４４の特定のスイッチ操作により、タイムアウト時間の経過前にタイムアウト時間の延長を指示すると（Ｓ５５）、計測時間のカウンタを０に戻し、再度タイムアウト時間までの計測時間の計測を開始する（Ｓ５２）
ユーザがタイムアウト時間の延長を指示しなかった場合（Ｓ５５）、タイムアウト処理が行われる（Ｓ５６）。例えば、ステップＳ４２に遷移して、他のカメラへ移動する。
【００３７】
ステップＳ５２とステップＳ５３の間で、サービス管理登録装置１８に登録されている撮影画像提供サービスの数を検索し、その数に応じて、即ち、サービス要求の込み具合に応じて、タイムアウト時間を決定・変更しても良い。
【００３８】
例えば、予めサービス仲介巡回モジュール２２が内部に保持するタイムアウト時間が１８０秒であるとする。その場合、ステップＳ４２，Ｓ４３をステップＳ５２とステップＳ５３の間で実行する。その検索結果の撮影画像提供サービスの数が、例えば５０個以上の場合、タイムアウト時間を例えば１２０秒に短縮し、、撮影画像提供サービスの数が例えば１０個以下の場合には、例えば３００秒に延長する。このように、サービス要求の込み具合に応じて、タイムアウト時間を短くしたり長くしたりしても良い。
【００３９】
【発明の効果】
以上の説明から容易に理解できるように、本発明によれば、サービス仲介巡回モジュールが、あたかも陸上のリレー競技でバトンが走者から走者に渡されるように、多数の撮像装置の間を渡って移動して行き、移動先での撮影画像を、指定の一つの画像表示装置に渡すよう仲介することで、常に、ネットワーク上にある少数の画像表示装置を同じネットワーク上にある多数の撮像装置で共有できる。画像表示装置を占有する撮像装置の他の撮像装置への切替えをスムーズに行え、しかも、その作業を自動化できる。
【００４０】
また、画像表示装置の表示画像に関して、ある程度、プレゼンテーション効果を高めることができるような切り替えを、撮像装置を操作する撮影者達側で意図して行うことができる。
【図面の簡単な説明】
【図１】  本発明の一実施例の概略構成ブロック図である。
【図２】  カメラ１４の概略構成ブロック図である。
【図３】  画像表示装置１６の概略構成ブロック図である。
【図４】  サービス管理登録装置１８の概略構成ブロック図である。
【図５】  巡回モジュール発行装置２０の概略構成ブロック図である。
【図６】  カメラ１４の動作フローチャートである。
【図７】  画像表示装置１６の動作フローチャートである。
【図８】  サービス管理登録装置１８の動作フローチャートである。
【図９】  巡回モジュール発行装置２０の動作フローチャートである。
【図１０】  サービス仲介巡回モジュール２２の動作フローチャートである。
【図１１】  サービス仲介巡回モジュール２２のタイムアウト機能の動作フローチャートである。
【符号の説明】
１０：ＬＡＮ
１２：無線ハブ（集線装置）
１４（１４−１〜１４−ｎ）：デジタルビデオカメラ
１６（１６−１〜１６−ｍ）：画像表示装置
１８：サービス管理登録装置
２０：巡回モジュール発行装置
２２（２２−１〜２２−ｍ）：サービス仲介巡回モジュール
３０：ＣＰＵ
３２：ＲＡＭ
３４：ＲＯＭ
３６：撮影レンズ
３８：撮像素子
４０：Ａ／Ｄ変換器
４２：画像処理回路
４４：操作装置
４６：画像表示装置
４８：ネットワーク制御回路
５０：無線ネットワークインターフェース
５２：システムバス
６０：ＣＰＵ
６２：ＲＡＭ
６４：ＲＯＭ
６６：ＣＲＴ制御回路
６８：ＣＲＴ
７０：スピーカ制御回路
７２：スピーカ
７４：ネットワーク制御回路
７６：ネットワークインターフェース
７８：システムバス
８０：ＣＰＵ
８２：ＲＡＭ
８４：ＲＯＭ
８６：キーボード制御回路
８８：キーボード
９０：ＣＲＴ制御回路
９２：ＣＲＴ
９４：ディスク制御回路
９６：ハードディスク
９８：フレキシブルディスク
１００：スピーカ制御回路
１０２：スピーカ
１０４：ネットワーク制御回路
１０６：ネットワークインターフェース
１０８：システムバス
１１０：ＣＰＵ
１１２：ＲＡＭ
１１４：ＲＯＭ
１１６：キーボード制御回路
１１８：キーボード
１２０：ＣＲＴ制御回路
１２２：ＣＲＴ
１２４：ディスク制御回路
１２６：ハードディスク
１２８：フレキシブルディスク
１３０：スピーカ制御回路
１３２：スピーカ
１３４：ネットワーク制御回路
１３６：ネットワークインターフェース
１３８：システムバス
【図１】
0003984811.tif 000002
【図２】
0003984811.tif 000003
【図３】
0003984811.tif 000004
【図４】
0003984811.tif 000005
【図５】
0003984811.tif 000006
【図６】
0003984811.tif 000007
【図７】
0003984811.tif 000008
【図８】
0003984811.tif 000009
【図９】
0003984811.tif 000010
【図１０】
0003984811.tif 000011
【図１１】
0003984811.tif 000012